(57)【要約】【課題】この発明は、ＩＣ定期券の払い戻しが可能で利便性の高い定期券払戻機を提供することを課題とする。【解決手段】定期券払戻機１は、ＩＣ定期券を投入するカード口３、ＩＣ定期券に記録されている定期券情報を読み取るとともに、ＳＦカードとしての前払運賃をチャージするＲ／Ｗ６ａ、ＩＣ定期券の表面に印字されている情報を消去および印字する印字ヘッド６ｂ、およびＩＣ定期券の払い戻しの可否を判断するとともに、払戻金額を算出するＣＰＵ１０を有する。操作パネル２を介して払戻ボタンが入力されると、ＩＣ定期券の払戻金額が算出されて前払運賃としてチャージされる。【選択図】    図１
2004185294.tif 000002
【特許請求の範囲】
【請求項１】
無線による読み取りが可能な定期券情報を記録保持しているとともに、無線により書換可能な前払運賃をチャージ可能なＩＣ定期券の投入を受け付ける投入口と、
この投入口から投入された上記ＩＣ定期券から無線により上記定期券情報を読み取るとともに、該ＩＣ定期券に対して上記前払運賃を無線によりチャージするデータ処理部と、
利用者による各種操作入力を受け付ける操作入力部と、
この操作入力部を介して定期券の払い戻し指示が入力されたことに基づいて、上記投入口を介して投入されたＩＣ定期券から上記定期券情報を読み取るように上記データ処理部を制御し、このデータ処理部における読取結果に基づいて、当該ＩＣ定期券の払い戻しの可否を判断するとともに、払戻金額を算出し、払い戻しが可能であることが判断されたＩＣ定期券に対し、上記払戻金額を上記前払運賃としてチャージするように上記データ処理部を制御する制御部と、
を備えていることを特徴とする定期券払戻機。
【請求項２】
上記制御部による制御に基づいて現金を利用者に払い戻す現金処理部をさらに備え、
上記制御部は、上記操作入力部を介して利用者によりなされる指示入力に基づいて、上記払戻金額の一部を上記前払運賃としてチャージするように上記データ処理部を制御するとともに、残りの払戻金額を現金で利用者に払い戻すように上記現金処理部を制御することを特徴とする請求項１に記載の定期券払戻機。
【請求項３】
上記指示入力は、上記ＩＣ定期券に対する上記前払運賃のチャージ金額の入力を含むことを特徴とする請求項２に記載の定期券払戻機。
【請求項４】
上記データ処理部によって上記払戻金額を上記前払運賃として上記ＩＣ定期券にチャージしたのに基づいて、上記ＩＣ定期券の表面に印字されている上記定期券情報に関する文字を消去する文字消去部をさらに有することを特徴とする請求項１に記載の定期券払戻機。
【請求項５】
上記文字消去部にて文字が消去された上記ＩＣ定期券の表面に文字を印字する印字部をさらに備えていることを特徴とする請求項４に記載の定期券払戻機。
【請求項６】
上記印字部は、上記前払運賃の使用履歴を印字することを特徴とする請求項５に記載の定期券払戻機。
【請求項７】
無線による読み取りが可能な定期券情報を記録保持しているとともに、無線により書換可能な前払運賃をチャージ可能なＩＣ定期券の投入を受け付ける投入口と、
この投入口から投入された上記ＩＣ定期券から無線により上記定期券情報を読み取るとともに、該ＩＣ定期券に対して上記前払運賃を無線によりチャージするデータ処理部と、
利用者による各種操作入力を受け付ける操作入力部と、
利用者に現金を払い戻す現金処理部と、
上記操作入力部を介して定期券および前払運賃の払い戻し指示が入力されたことに基づいて、上記投入口を介して投入されたＩＣ定期券から上記定期券情報を読み取るように上記データ処理部を制御し、このデータ処理部における読取結果に基づいて、当該ＩＣ定期券の払い戻しの可否を判断するとともに、払戻金額を算出し、払い戻しが可能であることが判断されたことを条件に、上記払戻金額とともに上記前払運賃を現金で利用者に返却するように上記現金処理部を制御する制御部と、
を備えていることを特徴とする定期券払戻機。
【請求項８】
上記制御部は、定期券および前払運賃の払戻時、上記ＩＣ定期券のデポジットも合わせて利用者に返却するように上記現金処理部を制御することを特徴とする請求項７に記載の定期券払戻機。
【請求項９】
上記払戻金額および前払運賃の払い戻しが終了した後、上記ＩＣ定期券を回収するカード回収部をさらに備えていることを特徴とする請求項７または８に記載の定期券払戻機。
【発明の詳細な説明】
【０００１】
【発明の属する技術分野】
この発明は、前払運賃のチャージ機能を備えたＩＣ定期券を払い戻しする定期券払戻機に関する。
【０００２】
【従来の技術】
従来、鉄道の乗車券を発券する発券機として、発券済の乗車券や定期券を受け入れて払い戻しする払戻機能を有する発券機が提案されている（例えば、特許文献１参照。）。
【０００３】
この発券機は、例えば、カード口から発券済の乗車券を受け入れて、払戻釦が利用者によって押されたことに基づいて、その乗車券から発券情報を読み取り、払戻処理の可否を判断する。そして、払戻処理が可能な場合に、払戻金を清算して利用者に返金し、乗車券を回収する。
【０００４】
【特許文献１】
特開２００１−１６７２９２号公報（要約書、図３）
【０００５】
【発明が解決しようとする課題】
しかし、上述した発券機では、近年普及されつつあるＩＣ定期券（いわゆるＳｕｉｃａ）の払戻処理はできなかった。ＩＣ定期券は、無線によって情報を読み書き可能なＩＣカードであり、定期券に関する情報（定期券情報）を記録保持しているとともに、予め所望する金額の前払運賃をチャージ可能となっており、定期券としての機能の他に、鉄道を利用する度に運賃の引き去り処理を行うプリペイド方式のＳＦカードとしての機能も備えている。
【０００６】
従来、ＩＣ定期券を払い戻しする場合には、前払運賃のチャージ金額も同時に払い戻しするため、駅係員にＩＣ定期券を渡して、駅係員によって払戻処理をしてもらう必要があり、面倒であった。また、ＳＦカードとしての機能を残して定期券だけを払い戻ししたい場合であっても、ＩＣ定期券を一旦払い戻しした後に、ＳＦカードとしての機能だけを備えたＩＣカードを再購入する必要があり、利便性に欠ける問題があった。
【０００７】
この発明は、以上の点に鑑みなされたもので、その目的は、ＩＣ定期券の払い戻しが可能で利便性の高い定期券払戻機を提供することにある。
【０００８】
【課題を解決するための手段】
上記目的を達成するため、本発明の定期券払戻機は、無線による読み取りが可能な定期券情報を記録保持しているとともに、無線により書換可能な前払運賃をチャージ可能なＩＣ定期券の投入を受け付ける投入口と、この投入口から投入された上記ＩＣ定期券から無線により上記定期券情報を読み取るとともに、該ＩＣ定期券に対して上記前払運賃を無線によりチャージするデータ処理部と、利用者による各種操作入力を受け付ける操作入力部と、この操作入力部を介して定期券の払い戻し指示が入力されたことに基づいて、上記投入口を介して投入されたＩＣ定期券から上記定期券情報を読み取るように上記データ処理部を制御し、このデータ処理部における読取結果に基づいて、当該ＩＣ定期券の払い戻しの可否を判断するとともに、払戻金額を算出し、払い戻しが可能であることが判断されたＩＣ定期券に対し、上記払戻金額を上記前払運賃としてチャージするように上記データ処理部を制御する制御部と、を備えている。
【０００９】
上記発明の定期券払戻機によると、ＩＣ定期券を受け入れて払い戻し指示がなされたとき、定期券情報に基づいて払戻金額を算出し、この払戻金額を前払運賃としてＩＣ定期券にチャージすることができる。これにより、係員による手間を無くすことができ、定期券の払い戻しを自動的に行うことができ、利便性を向上させることができる。また、ＩＣ定期券をそのまま続けて使用することができる。
【００１０】
また、本発明の定期券払戻機は、無線による読み取りが可能な定期券情報を記録保持しているとともに、無線により書換可能な前払運賃をチャージ可能なＩＣ定期券の投入を受け付ける投入口と、この投入口から投入された上記ＩＣ定期券から無線により上記定期券情報を読み取るとともに、該ＩＣ定期券に対して上記前払運賃を無線によりチャージするデータ処理部と、利用者による各種操作入力を受け付ける操作入力部と、利用者に現金を払い戻す現金処理部と、上記操作入力部を介して定期券および前払運賃の払い戻し指示が入力されたことに基づいて、上記投入口を介して投入されたＩＣ定期券から上記定期券情報を読み取るように上記データ処理部を制御し、このデータ処理部における読取結果に基づいて、当該ＩＣ定期券の払い戻しの可否を判断するとともに、払戻金額を算出し、払い戻しが可能であることが判断されたことを条件に、上記払戻金額とともに上記前払運賃を現金で利用者に返却するように上記現金処理部を制御する制御部と、を備えている。
【００１１】
上記発明の定期券払戻機によると、ＩＣ定期券を受け入れて前払運賃も含めた払い戻し指示がなされたとき、定期券情報に基づいて払戻金額を算出し、この払戻金額を前払運賃とともに利用者に払い戻しすることができる。これにより、係員による手間を無くすことができ、前払運賃を含む定期券の払い戻しを自動的に行うことができ、利便性を向上させることができる。
【００１２】
【発明の実施の形態】
以下、図面を参照しながらこの発明の実施の形態について詳細に説明する。
【００１３】
図１には、この発明の実施の形態に係る定期券払戻機１の概略構成をブロック図にして示してある。
【００１４】
定期券払戻機１は、図示しない上位装置との間でデータを送受信して各種演算処理や判断処理を行うＣＰＵ１０（制御部）を有する。ＣＰＵ１０には、操作パネル２（操作入力部）、カード口３（投入口）、現金投入口４、および現金返却口５が接続されている。
【００１５】
操作パネル２は、各種操作ボタンや操作案内を表示するとともに表示したボタンに触れることで入力操作を受け付けるタッチパネルを有する。カード口３は、利用者によるＩＣ定期券（図示せず）の投入を受け付けるとともに、処理済のＩＣ定期券を利用者に返却する。現金投入口４は、硬化や紙幣などの現金の投入を受け付ける。現金返却口５は、払い戻しする現金を利用者に返却する。
【００１６】
ＩＣ定期券は、無線による各種情報の読み書きが可能なＩＣカードであり、有効期限、乗車区間等の定期券に関する情報（以下、定期券情報と称する）を記録保持しているとともに、予め利用者が所望する金額の前払運賃をチャージ可能となっている。つまり、このＩＣ定期券は、定期券としての機能の他に、乗車運賃を先払いするプリペイド方式のＳＦカードとしての機能も有する。また、このＩＣ定期券を購入する際、カード媒体のデポジット（保証金）として、定期券代および前払運賃のチャージ分の他に、一定金額を支払う必要がある。
【００１７】
また、ＣＰＵ１０には、リーダライタ６ａ（以下、Ｒ／Ｗ６ａとする）（データ処理部）および印字ヘッド６ｂ（文字消去部、印字部）を備えたカード処理部６、発券処理部７、現金処理部８、およびカード回収部９が接続されている。
【００１８】
Ｒ／Ｗ６ａは、カード口３を介して投入されたＩＣ定期券から無線により定期券情報を読み取るとともに、該ＩＣ定期券に対して無線により前払運賃を書換記録（チャージ）する。印字ヘッド６ｂは、上記ＩＣ定期券の表面に印字されている文字等の情報を消去するとともに、該表面に文字等の情報を新たに印字する。
【００１９】
発券処理部７は、現金投入口４から現金が投入されて操作パネル２を介して利用者により乗車券の購入操作がなされたとき、その操作内容に応じた乗車券を利用者に発券する。このとき、現金投入口４を介して投入された現金は、現金処理部８にて真偽判定や種別判定がなされ、図示しない金庫に収納される。
【００２０】
現金処理部８は、この他に、後述するＩＣ定期券の払戻時に、ＣＰＵ１０の制御に基づいて、利用者に所定金額の現金を払い戻す。現金は、現金返却口５を介して利用者に返却される。
【００２１】
カード回収部９は、後述するＩＣ定期券の払い戻しにより、前払運賃（ＳＦカード分）も含む金額の払い戻しをした場合、利用者に返却する必要のないチャージの無いＩＣ定期券を機内で回収する。回収したＩＣ定期券は、必要に応じて表面の文字、定期券情報などが消去され、再利用に供される。
【００２２】
次に、上記のように構成された定期券払戻機１による処理動作について、図２および図３に示すフローチャートを参照して説明する。
【００２３】
まず、ＩＣ定期券がカード口３を介して定期券払戻機１内に投入されると（ステップ１；ＹＥＳ）、このＩＣ定期券がカード処理部６へ搬送される。このとき、操作パネル２を介して表示されている払戻ボタンが利用者によって入力されて、ＩＣ定期券の払い戻し指示が入力されると（ステップ２；ＹＥＳ）、カード処理部６のＲ／Ｗ６ａを介してＩＣ定期券から定期券情報および前払運賃のチャージ金額が読み取られる（ステップ３）。
【００２４】
そして、ＣＰＵ１０にて、読み取った定期券情報から当該ＩＣ定期券の有効期限が確認されて払い戻しが可能であるか否かが判断され（ステップ４）、払い戻しが可能である場合（ステップ４；ＹＥＳ）、ＣＰＵ１０にて定期券の払戻金額が算出される（ステップ５）。このとき、払戻金額は、上記有効期限および利用区間に基づいて算出され、Ｒ／Ｗ６ａで読み取った前払運賃とともに操作パネルを介して表示される（ステップ６）。
【００２５】
一方、ステップ４で払い戻しが不可であることが判断されると（ステップ４；ＮＯ）、払い戻しが不可であることが操作パネル２を介して表示され、カード口３を介して当該ＩＣ定期券が利用者に返却される（ステップ７）。
【００２６】
ステップ２で払戻ボタンが入力された後、当該ＩＣ定期券の払い戻しが可能と判断された場合、操作パネル２を介して、図示しない３つのボタン、すなわち“定期券＋ＳＦ”ボタン、“定期券”ボタン、および“ＳＦ”ボタンが切り換え表示される。利用者は、これら３つのボタンのうち１つを選択することで、払い戻しの処理形態を選択することになる。
【００２７】
この状態で、利用者によって“定期券＋ＳＦ”ボタンが入力されて全額払い戻し指示が入力されると（ステップ８；ＹＥＳ）、操作パネル２を介して図示しない選択ボタンが表示され、ＩＣ定期券のデポジットを払い戻すか否かが確認される（ステップ９）。
【００２８】
ステップ９で利用者によりデポジットを含む全額を払い戻す指示入力がなされると（ステップ９；ＹＥＳ）、ステップ６で操作パネル２を介して表示した払戻金額および前払運賃にデポジットを加えた金額が現金処理部で用意され、現金返却口５を介して利用者に払い戻しされる（ステップ１０）。
【００２９】
このとき、必要に応じて、当該ＩＣ定期券の定期券情報および前払運賃がＲ／Ｗ６ａを介して消去され、ＩＣ定期券の表面に印字されている定期券に関する情報が印字ヘッド６ｂを介して消去される。そして、このようにデータを消去された状態のＩＣ定期券が、カード回収部９に回収される（ステップ１１）。
【００３０】
尚、このとき、ステップ１０で利用者に現金を払い戻しした後、当該ＩＣ定期券のデータ処理および印字情報の消去を行わずに、当該ＩＣ定期券をカード回収部９にそのまま回収しても良い。この場合、回収したＩＣ定期券は、再利用のため、カード回収部９から取り出した後、データ処理および印字情報の消去がなされる。
【００３１】
また、ステップ９で利用者によりデポジットを含まない金額の払い戻し指示がなされると（ステップ９；ＮＯ）、ステップ６で操作パネル２を介して表示した払戻金額および前払運賃が現金処理部で用意され、現金返却口５を介して利用者に払い戻しされる（ステップ１２）。
【００３２】
このとき、当該ＩＣ定期券の定期券情報および前払運賃がＲ／Ｗ６ａを介して消去され、ＩＣ定期券の表面に印字されている定期券に関する情報が印字ヘッド６ｂを介して消去される（ステップ１３）。そして、このようにデータおよび文字を消去された状態のデポジットだけのＩＣ定期券が、カード口３を介して利用者に返却される（ステップ１４）。
【００３３】
一方、上述した３つのボタンが表示された状態で、利用者によって“定期券”ボタンが入力されて定期券だけの払い戻し指示が入力されると（ステップ８；ＮＯ、ステップ１５；ＹＥＳ）、操作パネル２を介して図示しない選択ボタンが切換表示されて、ステップ５で算出した定期券の払戻金額を前払運賃としてチャージするか否かが確認される（ステップ１６）。
【００３４】
ステップ１６で定期券の払戻金額をチャージすることが利用者によって選択されると（ステップ１６；ＹＥＳ）、図示しない選択ボタンが表示されて、払戻金額の全部をチャージするか否かが確認される（ステップ１７）。全額をチャージすることが利用者によって選択されると（ステップ１７；ＹＥＳ）、ステップ５で算出した払戻金額が前払運賃としてＲ／Ｗ６ａを介してＩＣ定期券に全額チャージされる（ステップ１８）。
【００３５】
この後、Ｒ／Ｗ６ａを介してＩＣ定期券の定期券情報が消去されるとともに、印字ヘッド６ｂを介してＩＣ定期券の表面に印字されている文字が消去される（ステップ１９）。また、このとき、印字ヘッド６ｂを介して、ＩＣ定期券の表面に前払運賃の使用履歴、すなわちＳＦカードの使用履歴が印字される（ステップ２０）。
【００３６】
そして、このようにして定期券に関するデータおよび文字が消去されたＳＦカードとしての機能のみを有するＩＣ定期券が、カード口３を介して利用者に返却される（ステップ２１）。このように、利用者に返却するＩＣ定期券の表面に、定期券情報の代りにＳＦカードの使用履歴を印字することで、第三者でもカードの外観から定期券ではないことを容易に判断でき、不正使用を防止できる。
【００３７】
一方、ステップ１６で定期券の払戻金額を前払運賃としてチャージしないことが判断されると（ステップ１６；ＮＯ）、ステップ５で算出された払戻金額が現金処理部８で用意され、現金返却口５を介して利用者に払い戻しされる（ステップ２２）。この後、上述したステップ１９〜２１の処理がなされ、ＳＦカード機能のみを有するＩＤ定期券が利用者に返却される。
【００３８】
また、ステップ１７で定期券の払戻金額のうち少なくとも一部を現金で払い戻すことが指示入力された場合（ステップ１７；ＮＯ）、操作パネル２を介して利用者によって入力される金額に基づいて、清算処理がなされる（ステップ２３；ＹＥＳ、ステップ２４）。このとき、例えば、利用者によって前払運賃としてチャージする金額が入力され、Ｒ／Ｗ６ａを介してこの金額がチャージされる。同時に、払戻金額のうちチャージしない残りの金額がＣＰＵ１０で演算されて現金処理部８で用意され、現金返却口５を介して利用者に払い戻しされる。この後、上述したステップ１９〜２１の処理がなされ、ＳＦカード機能のみを有するＩＤ定期券がカード口３を介して利用者に返却される。
【００３９】
また、上述した３つのボタンが表示された状態で、利用者によって“ＳＦ”ボタンが入力されて前払運賃だけの払い戻し指示が入力されると（ステップ８；ＮＯ、ステップ１５；ＮＯ）、ステップ３でＲ／Ｗ６ａを介してＩＣ定期券から読み取ったチャージ金額が現金処理部８で用意され、現金返却口５を介して利用者に払い戻しされる（ステップ２５）。
【００４０】
この後、Ｒ／Ｗ６ａを介してＩＣ定期券から前払運賃が全額引き去られ（ステップ２６）、定期券としての機能のみを有するＩＤ定期券がカード口３を介して利用者に返却される（ステップ２７）。
【００４１】
以上のように、本実施の形態によると、定期券としての機能とＳＦカードとしての機能を有するＩＣ定期券の払い戻しを自動的に行うことができ、係員による手間を無くすことができ、利用者の利便性も向上させることができる。また、定期券の払い戻しの際、払戻金額の少なくとも一部をＳＦカード運賃としてチャージでき、利用者の利便性を向上できる。
【００４２】
尚、この発明は、上述した実施の形態に限定されるものではなく、この発明の範囲内で種々変形可能である。例えば、上述した実施の形態では、ステップ２０でＳＦカードの使用履歴をＩＣ定期券の表面に印字した場合について説明したが、定期券としての機能を持たないカードであることが第三者にも分る表示であれば良く、例えば、単に“ＳＦ”とだけ印字しても良い。
【００４３】
また、上述した実施の形態では、ステップ２２でチャージ金額の入力を受け付けて、ステップ２３で残りの金額を現金で払い戻しする場合について説明したが、これに限らず、ステップ２２で現金で払い戻す金額の入力を受け付けて、ステップ２３で残りの金額をチャージするようにしても良い。
【００４４】
【発明の効果】
以上説明したように、この発明の定期券払戻機は、上記のような構成および作用を有しているので、ＩＣ定期券の払い戻しが可能で利便性を向上させることができる。
【図面の簡単な説明】
【図１】この発明の実施の形態に係る定期券払戻機の概略構成を示すブロック図。
【図２】図１の定期券払戻機による処理動作を説明するためのフローチャート。
【図３】図２とともに処理動作を説明するためのフローチャート。
【符号の説明】
１…定期券払戻機、２…操作パネル、３…カード口、４…現金投入口、５…現金返却口、６…カード処理部、６ａ…Ｒ／Ｗ、６ｂ…印字ヘッド、７…発券処理部、８…現金処理部、９…カード回収部、１０…ＣＰＵ。
【図１】
2004185294.tif 000003
【図２】
2004185294.tif 000004
【図３】
2004185294.tif 000005